【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
ＤＣ電力システムにおけるアーク放電を検出する方法であって、
少なくとも２つの逆の極性を有する電流センサによって少なくとも２つの電流出力をそれぞれ監視し、前記少なくとも２つの電流出力は、前記ＤＣ電力システム内の少なくとも２つの隣接する導体上の各電流センサによる監視のために提供され、
前記少なくとも２つの電流出力を結合し、結合された電流出力を提供し、
時間上の前記結合された電流出力の少なくとも１つの変化（ｄｉ／ｄｔ）に応答して１つまたは複数のパルスを生成し、各パルスは関連された幅を有し、
プロセッサにより、前記ＤＣ電力システム内のアーク放電の存在を判定するように前記それぞれのパルスを処理し、各パルスの処理は、

少なくとも１つの予め決められた時間間隔におけるパルスの数をカウントし、当該予め決められた時間間隔のパルスカウントを提供し、
前記予め決められた時間間隔における前記それぞれのパルスの幅の変動を測定し、
前記パルスカウントに対する前記それぞれのパルスの幅の変動の第１の比を算出し、
前記第１の比に少なくとも一部に基づき、前記ＤＣ電力システム内のアーク放電の存在を判定することを含んでおり、
前記プロセッサにより、前記ＤＣ電力システム内のアーク放電の存在を示す出力を生成する、方法。
【請求項２】
アーク放電の存在を判定することは、前記第１の比が第１の特定の閾値を超えると判定することを含む、請求項１に記載の方法。
【請求項３】
パルスの数をカウントすることが、それぞれの予め決められた時間間隔のパルスカウントを提供するように、複数の予め決められた時間間隔のそれぞれにおいてパルスの数をカウントすることを含み、前記それぞれのパルスの幅の変動を測定することが、前記それぞれの予め決められた時間間隔における前記それぞれのパルスの幅の変動を測定することを含む、
請求項１に記載の方法。
【請求項４】
前記第１の比を算出することが、各予め決められた時間間隔の後に前記パルスカウントの平均を算出することと、各予め決められた時間間隔の後に前記それぞれのパルスの幅の変動の平均を算出することと、および前記それぞれのパルスの幅の変動の平均および前記パルスカウントの平均に基づいて第１の比を算出することを含む、請求項３に記載の方法。
【請求項５】
前記プロセッサにより、前記予め決められた時間間隔における前記それぞれのパルスの幅の変調を測定すること
をさらに含む、請求項１に記載の方法。
【請求項６】
前記プロセッサにより、前記それぞれのパルスの幅の変調に対する前記それぞれのパルスの幅の変動の第２の比を算出すること
をさらに含む、請求項５に記載の方法。
【請求項７】
アーク放電の存在を判定することが、前記第１の比および前記第２の比に少なくとも一部に基づき、前記ＤＣ電力システム内のアーク放電の存在を判定することを含む、
請求項６に記載の方法。
【請求項８】
アーク放電の存在を判定することが、前記第１の比が第１の特定の閾値を超えると判定することと、および前記第２の比が第２の特定の閾値を超えると判定することを含む、請求項７に記載の方法。
【請求項９】
前記それぞれのパルスの幅の変動を測定することが、複数の予め決められた時間間隔の前記それぞれのパルス幅の変動を測定することを含み、前記それぞれのパルスの幅の変調を測定することが、前記複数の予め決められた時間間隔の前記それぞれのパルスの幅の変調を測定することを含む、請求項６に記載の方法。
【請求項１０】
前記第２の比を算出することが、各予め決められた時間間隔の後に前記それぞれのパルスの幅の変動の平均を算出することと、各予め決められた時間間隔の後に前記それぞれのパルスの幅の変調の平均を算出することと、前記それぞれのパルスの幅の変動の前記平均および前記それぞれのパルスの幅の変調の前記平均に基づいて前記第２の比を算出することを含む、請求項９に記載の方法。
【請求項１１】
前記プロセッサにより、前記予め決められた時間間隔の前記パルスカウントの変動を測定すること
をさらに含む、請求項６に記載の方法。
【請求項１２】
前記プロセッサにより、前記パルスカウントの変動対前記パルスカウントの第３の比、および前記それぞれのパルスの幅における変動対前記それぞれのパルスの幅の第４の比のうちの１つまたは複数を算出すること
をさらに含む、請求項１１に記載の方法。
【請求項１３】
アーク放電の存在を判定することが、第１の比と、第２の比、第３の比および第４の比のうちの１つまたは複数との少なくとも一部に基づき、前記ＤＣ電力システムにおけるアーク放電の存在を判定することを含む、請求項１２に記載の方法。
【請求項１４】
アーク放電の存在を判定することが、前記第１の比が第１の特定の閾値を超えると判定することと、前記第２の比が第２の特定の閾値を超えると判定することと、前記第３の比が第３の特定の閾値を超えると判定することと、および前記第４の比が第４の特定の閾値を超えると判定することを含む、請求項１３に記載の方法。
【請求項１５】
アーク放電の存在を判定することが、前記パルスカウントが第５の特定の閾値を越えると判定することと、および前記それぞれのパルスの幅が第６の特定の閾値を超えると判定することをさらに含む、請求項１４に記載の方法。
【請求項１６】
前記パルスカウントにおける変動を測定することが、複数の予め決められた時間間隔で前記パルスカウントにおける変動を測定することを含み、前記それぞれのパルスの幅の変動を測定することが、前記複数の予め決められた時間間隔で前記それぞれのパルスの幅の変動を測定することを含む、請求項１５に記載の方法。
【請求項１７】
前記第３の比を算出することが、各予め決められた時間間隔の後に前記パルスカウントにおける変動の平均を算出することと、各予め決められた時間間隔の後に前記パルスカウントの平均を算出することと、前記パルスカウントにおける変動の前記平均および前記パルスカウントの前記平均に基づいて、前記第３の比を算出することを含む、請求項１６に記載の方法。
【請求項１８】
前記第４の比を算出することが、各予め決められた時間間隔の後に前記それぞれのパルスの幅の変動の平均を算出することと、各予め決められた時間間隔の後に前記それぞれのパルスの幅の平均を算出することと、前記それぞれのパルスの幅の変動の前記平均および前記それぞれのパルスの幅の前記平均に基づき、前記第４の比を算出することを含む、請求項１６に記載の方法。
【請求項１９】
ＤＣ電力システムにおけるアーク放電を検出するシステムであって、
少なくとも２つの電流出力をそれぞれモニタするように動作し、結合された電流出力を提供するように構成および配置される少なくとも２つの電流センサであって、前記少なくとも２つの電流センサが逆の極性を有し、前記少なくとも２つの電流出力が、前記ＤＣ電力システムにおいて、少なくとも２つの隣接する導体上の前記それぞれの電流センサによるモニタのために提供される、電流センサと、
時間上で前記結合された電流出力における少なくとも１つの変化（ｄｉ／ｄｔ）に応答して、１つまたは複数のパルスを生成するように動作する比較器であって、各パルスが関連する幅を有する前記比較器と、
少なくとも１つの予め決められた時間間隔におけるパルスの数をカウントし、当該予め決められた時間間隔のパルスカウントを提供し、前記予め決められた時間間隔における前記それぞれのパルスの幅の変動を測定し、前記パルスカウントに対する前記それぞれのパルスの幅の変動の第１の比を算出し、前記第１の比に少なくとも一部に基づき前記ＤＣ電力システム内のアーク放電の存在を判定することにより、前記ＤＣ電力システムにおけるアーク放電の存在を判定するように前記それぞれのパルスを処理し、かつ前記ＤＣ電力システムにおけるアーク放電の存在を示す出力を生成するように動作するプロセッサと
を含む、システム。
【請求項２０】
ＤＣ電力システムにおけるアーク放電を検出するシステムであって、
少なくとも２つの電流出力をそれぞれモニタするように動作し、結合された電流出力を提供するように構成および配置される少なくとも２つの電流センサであって、前記少なくとも２つの電流出力が、前記ＤＣ電力システムにおいて、少なくとも２つの隣接する導体上の前記それぞれの電流センサによるモニタのために提供され、前記少なくとも２つの隣接する導体が、反対の方向で、前記少なくとも２つの電流出力を提供するように構成および配置される、電流センサと、
時間上で前記結合された電流出力における少なくとも１つの変化（ｄｉ／ｄｔ）に応答して、１つまたは複数のパルスを生成するように動作する比較器であって、各パルスが関連する幅を有する前記比較器と、
少なくとも１つの予め決められた時間間隔におけるパルスの数をカウントし、当該予め決められた時間間隔のパルスカウントを提供し、前記予め決められた時間間隔における前記それぞれのパルスの幅の変動を測定し、前記パルスカウントに対する前記それぞれのパルスの幅の変動の第１の比を算出し、前記第１の比に少なくとも一部に基づき前記ＤＣ電力システム内のアーク放電の存在を判定することにより、前記ＤＣ電力システムにおけるアーク放電の存在を判定するように前記それぞれのパルスを処理し、かつ前記ＤＣ電力システムにおけるアーク放電の存在を示す出力を生成するように動作するプロセッサと
を含む、システム。